(57)【要約】      （修正有）【課題】放送局の選択操作を容易に行えるようにする。【解決手段】放送信号を受信する受信装置１と、複数のゾーンに配設され、受信装置１からの放送信号が入力される複数のスピーカ２〜４と、各ゾーンで、受信装置１を操作して、各ゾーンで再生される放送信号を選択する操作装置と、グループ用テーブルと、プリセット用テーブルを有し、グループ用テーブルには、各ゾーンに割り当てられるグループコードが登録され、プリセット用テーブルは、操作装置により選択可能な複数のプリセット用登録部を有し、各登録部に、放送信号選択用データとグループコードが登録される記憶手段と、操作装置により選択されたプリセット用登録部が一定の条件を満たす場合に、この登録部に登録された放送信号選択用データに基づき、受信装置に放送信号を選択させる制御手段１３を有する。【選択図】図１
2008035042.tif 000002
【特許請求の範囲】
【請求項１】
Ａ．放送信号を受信する受信装置と、
Ｂ．複数のゾーンに配設され、受信装置からの放送信号が入力されて、オーディオ出力    及び／又はビジュアル表示する複数のスピーカ及び／又は表示装置と、
Ｃ．各ゾーンで、受信装置を操作して、各ゾーンで再生される放送信号を選択する操作    装置
を有するものにおいて、
イ．グループ用テーブルと、プリセット用テーブルを有し、グループ用テーブルには、    各ゾーンに割り当てられるグループコードが登録され、プリセット用テーブルは、操    作装置により選択可能な複数のプリセット用登録部を有し、各登録部に、放送信号選    択用データとグループコードが登録される記憶手段と、
ロ．操作装置によりプリセット用登録部が選択された際に、この登録部に登録されたグ    ループコードが、操作装置が操作されたゾーンに割り当てられたグループコードと一    致する場合に、上記登録部に登録された放送信号選択用データに基づき、受信装置に    放送信号を選択させる制御手段
を有するオーディオ／ビジュアル装置。
【請求項２】
各登録部に、登録の有無を示す登録有無データが登録され、
制御手段が、操作装置によりプリセット用登録部が選択された際に、この登録部に登録されたグループコードが、操作装置が操作されたゾーンに割り当てられたグループコードと一致すると共に、上記登録部に登録された登録有無データが登録有りの場合に、上記登録部に登録された放送信号選択用データに基づき、受信装置に放送信号を選択させる請求項１記載のオーディオ／ビジュアル装置。
【発明の詳細な説明】
【技術分野】
【０００１】
本発明は、オーディオ／ビジュアル装置に関する。
【背景技術】
【０００２】
オーディオ装置では、チューナーと複数のアンプを有するラジオ受信装置と、複数の部屋に配設され且つアンプからのオーディオ信号が入力されるスピーカと、各部屋に配設されたリモコン受光部と、リモコン受光部を介してラジオ受信装置を操作するリモコンを有するものがある。このものでは、各部屋で、リモコンにより、ラジオ受信装置を操作することで、放送局を選択でき、所望の放送番組をスピーカにより聴取できる。
【０００３】
ところで、上記のものでは、多数ある放送局を容易に選択できるように、ラジオ受信装置のマイクロコントローラの記憶装置に、予め、放送局を複数のグループ、例えば、Ａ，Ｂのグループに分けて、記憶させたものがある（このように、放送局に関するデータを予め記憶させることを、プリセットということがある（例えば、特許文献１参照）。）。
【０００４】
然しながら、上記のものでは、下記のような場合の放送局の選択時に、２段階の操作が必要なため、放送局の選択操作が面倒であるとの問題があった。即ち、ある部屋のリスナーがＡのグループを選択して、そのグループに属する放送局の放送番組を聴取していた場合に、他の部屋のリスナーがＢのグループの放送局の放送番組を聴取したい場合には、リモコンにより、Ｂのグループを選択した後、このグループ内の放送局を選択する必要があっった。
【０００５】
【特許文献１】特開２００３−３４６５８３号公報
【発明の開示】
【発明が解決しようとする課題】
【０００６】
本発明は、放送局の選択操作を容易に行えるオーディオ／ビジュアル装置を提供することを目的とする。
【課題を解決するための手段】
【０００７】
上記目的を達成するために、本発明のオーディオ／ビジュアル装置の特徴とするところは、Ａ．放送信号を受信する受信装置と、Ｂ．複数のゾーンに配設され、受信装置からの放送信号が入力されて、オーディオ出力及び／又はビジュアル表示する複数のスピーカ及び／又は表示装置と、Ｃ．各ゾーンで、受信装置を操作して、各ゾーンで再生される放送信号を選択する操作装置を有するものにおいて、イ．グループ用テーブルと、プリセット用テーブルを有し、グループ用テーブルには、各ゾーンに割り当てられるグループコードが登録され、プリセット用テーブルは、操作装置により選択可能な複数のプリセット用登録部を有し、各登録部に、放送信号選択用データとグループコードが登録される記憶手段と、ロ．操作装置によりプリセット用登録部が選択された際に、この登録部に登録されたグループコードが、操作装置が操作されたゾーンに割り当てられたグループコードと一致すると共に、上記登録部に登録された登録有無データが登録有りの場合に、上記登録部に登録された放送信号選択用データに基づき、受信装置に放送信号を選択させる制御手段を有する点にある。
尚、各登録部に、登録の有無を示す登録有無データが登録され、制御手段が、操作装置によりプリセット用登録部が選択された際に、この登録部に登録されたグループコードが、操作装置が操作されたゾーンに割り当てられたグループコードと一致すると共に、上記登録部に登録された登録有無データが登録有りの場合に、上記登録部に登録された放送信号選択用データに基づき、受信装置に放送信号を選択させることもある。
【発明の効果】
【０００８】
本発明によれば、放送局の選択操作を容易に行える。
【発明を実施するための最良の形態】
【０００９】
以下、本発明をオーディオ装置に適用した実施の形態の一例を図面に基づき説明すると、図１に示すように、オーディオ装置は、ラジオ受信装置１と、スピーカ２〜４と、リモコン受光部５〜７と、リモコン（図示省略）等を有する。
【００１０】
ラジオ受信装置１は、チューナー９と、アンプ１０〜１２と、マイコン１３を有しており、ラジオ受信装置１は、リモコン無しでも直接操作可能とされている。チューナー９は、放送局からのラジオ放送信号を選択的に受信するもので、アンテナ１４に接続されると共に、受信した放送信号をアンプ１０〜１２に出力する。アンプ１０〜１２は放送信号を増幅して、出力する。マイコン１３（マイクロコントローラ、システムコントローラ、制御装置、制御手段）は、チューナー９を制御するもので、情報処理を行う中央処理回路（ＣＰＵ）（図示省略）と、制御プログラムが記憶されているリードオンリーメモリ（ＲＯＭ）（図示省略）と、処理に際して必要な変数等を記憶するランダムアクセスメモリ（ＲＡＭ）（図示省略）等を有する。
【００１１】
スピーカ２〜４及びリモコン受光部５〜７は、ゾーンとして例示される複数の部屋に配設されるもので、図例では、メイン部屋（尚、これをゾーン１（部屋）ということもある。）、ゾーン２部屋、ゾーン３部屋に配設されて、アンプ１０〜１２又はマイコン１３に接続されている。本例では、リモコンとリモコンからの指示用赤外線を受光するリモコン受光部５〜７により、操作装置が構成されており、マイコン１３を介して、ラジオ受信装置１が操作される。リモコンは、放送局選択用のプリセットアップキー等の操作キーを有する。尚、上記のように、２つの装置により操作装置を構成せず、単一の装置により操作装置を構成することもある。又、本例では、ゾーンを部屋としたが、ゾーンを、明確に仕切りされていない単なる場所としてもよい。
【００１２】
ところで、例えば、メイン部屋を、両親と子供が共通して使用するリビングルーム等とし、ゾーン２部屋を子供部屋とし、ゾーン３部屋を両親の寝室とした場合、各部屋で聴取されるラジオ放送番組の傾向は、当然、異なるものとなる。そこで、多数ある放送局を、父親用のグループＡと、母親用のグループＢと、子供用のグループＣに分けている。尚、上記「グループＡ」又は「Ａ」等を、本例では、グループコードと称している。上記のように分けた場合には、メイン部屋では、グループＡ〜Ｃに属する放送局の放送番組を両親と子供が聴取し、ゾーン２部屋では、グループＣに属する放送局の放送番組を子供が聴取し、ゾーン３部屋では、グループＡに属する放送局の放送番組を父親が聴取することになる。尚、本来ならば、ゾーン３部屋では、グループＢに属する放送局の放送番組を母親が聴取することになるが、説明の便宜上、この点に関しては省略した。
【００１３】
上記を考慮して、図２に示すように、マイコン１３のＲＡＭ（尚、他の記憶装置を使用することもある。以下、同様。）には、各ゾーンに割り当てられるグループコードを登録するためのグループ用テーブルが設けられている。このテーブルの各行には、リモコン又はラジオ受信装置１の操作により、各部屋用のグループコード、即ち、Ａ〜Ｃが登録されている。本例では、メイン部屋用に、グループコードＡ〜Ｃが登録され、ゾーン２部屋に、グループコードＣが登録され、ゾーン３部屋にグループコードＡが登録されている。
【００１４】
又、図３に示すように、マイコン１３のＲＡＭには、ラジオ放送局を予め登録（プリセット）しておくためのプリセット用テーブルも設けられており、このテーブルは、リモコンにより選択可能な複数行（複数個）（図例では、Ｎ行（Ｎ個））のプリセット用登録部を有する。各登録部には、放送信号選択用データと、グループコードデータと、プリセット（登録）の有無を示すプリセット（登録）有無データが登録されており、図例では、プリセット有無データ、放送信号選択用データ及びグループコードデータが左から右に向かって並設されている。図例では、放送信号選択用データとして、放送局の周波数（例えば、「８０．０ＭＮｚ」）が例示され、グループコードデータとして「グループＡ」等が例示され、プリセット有無データとして、「有」（「プリセット有り」を示している）又は「無」（「プリセット無し」を示している）が例示されている。尚、放送局の周波数は、通常、オーディオ装置の購入前に予め登録され、グループコードデータ及び登録有無データはリモコンにより入力されるが、放送局の周波数をラジオ受信装置１又はリモコンにより入力することもある。又、オーディオ装置、例えば、ラジオ受信装置１には、ゾーン２部屋用ＯＮ／ＯＦＦ設定機能とゾーン３部屋用ＯＮ／ＯＦＦ設定機能があり、これらをＯＦＦに設定すると、例えば、マイコン１３による制御等により、ゾーン２部屋のスピーカ３とゾーン３部屋のスピーカ４には放送信号が供給されず、これらスピーカ３，４からはオーディオ出力されない。又、上記設定をＯＮに設定すると、ゾーン２部屋のスピーカ３とゾーン３部屋のスピーカ４に放送信号が供給可能とされて、これらスピーカ３，４からオーディオ出力可能とされる。尚、上記ＯＮ／ＯＦＦ設定はラジオ受信装置１の直接の操作又はリモコンの操作により行われる。尚、チューナーを複数設けることにより、各部屋（ゾーン）で異なる放送局の放送番組を再生できる。
【００１５】
次に、オーディオ装置の制御のフローチャートについて、図４〜図９に基づき説明する。下記の説明では、メイン部屋でのリモコン操作についてのみ説明するが、他の部屋のリモコン操作も同様に行われる。
【００１６】
先ず、各部屋でのリモコン操作の処理について、図４〜図６に基づき説明する。尚、図４がメイン部屋でのリモコン操作の処理を示し、図５がゾーン２部屋のリモコン操作の処理を示し、図６がゾーン３部屋のリモコン操作の処理を示している。ステップＳ１（Ｒ１，Ｔ１）で、メイン部屋のリモコン受光部５がリモコンからの赤外線を受光したか、否かが判断される。ＮＯであれば、制御を終了し、ＹＥＳであれば、ステップＳ２（Ｒ２，Ｔ２）に移り、メイン部屋受信フラグがセットされて、ステップＳ３（Ｒ３，Ｔ３）に移る。ステップＳ３（Ｒ３，Ｔ３）では、リモコンの操作された操作キーと対応する操作データがマイコン１３のＲＡＭに格納されて、制御が終了する。
【００１７】
次に、各部屋でのリモコンによる放送局の選択操作の処理について、図７〜図９に基づき説明する。尚、図７がメイン部屋での放送局の選択操作の処理を示し、図８がゾーン２部屋での放送局の選択操作の処理を示し、図９がゾーン３部屋での放送局の選択操作の処理を示している。プリセット用テーブルの任意の行をｎとした場合、放送局の選択は、リモコンのプリセットアップキーにより、上記ｎを「１」宛増加させていくことにより選択される。尚、図７〜図９において、「preset[n].preset」はプリセット用テーブルのｎ行のプリセット有無データの「有」を意味し、「preset[n].group 」は上記ｎ行のグループコードを意味し、「preset[n].frequency 」は上記ｎ行の周波数を意味している。又、「zone[1][A]」等はグループ用テーブルのメイン部屋用のグループコードＡの登録を意味している。
【００１８】
まず、ステップＰ１（Ｖ１，Ｍ１）で、「ｎ」に「１」が加算されて、ステップＰ２（Ｖ２，Ｍ２）に移り、「ｎ」行のプリセット用登録部のプリセット有無データとして、「有」が登録されているか、否かが判断される。ＮＯであれば、ステップＰ１（Ｖ１，Ｍ１）に戻り、ＹＥＳであれば、ステップＰ３（Ｖ３，Ｍ３）に移り、「ｎ」行のプリセット用登録部のグループコードとして何が登録されているかが判断される。「グループＡ」が登録されていれば、ステップＰ４（Ｖ４，Ｍ４）に移り、「グループＢ」が登録されていれば、ステップＰ５（Ｖ５，Ｍ５）に移り、「グループＣ」が登録されていれば、ステップＰ６（Ｖ６，Ｍ６）に移る。
【００１９】
ステップＰ４（Ｖ４，Ｍ４）では、グループ用テーブルのメイン部屋用として、「Ａ」が登録されているか、否かが判断される。ＮＯであれば、ステップＰ１（Ｖ１，Ｍ１）に戻り、ＹＥＳであれば、ステップＰ７（Ｖ７，Ｍ７）に移り、「ｎ」行のプリセット用登録部の周波数を読出して、このデータに基づき、ラジオ受信装置１のチューナー９によりラジオ放送信号の選択、受信処理を行う。ステップＰ５（Ｖ５，Ｍ５）では、グループ用テーブルのメイン部屋用として、「Ｂ」が登録されているか、否かが判断される。ＮＯであれば、ステップＰ１（Ｖ１，Ｍ１）に戻り、ＹＥＳであれば、ステップＰ７（Ｖ７，Ｍ７）に移る。ステップＰ６（Ｖ６，Ｍ６）では、グループ用テーブルのメイン部屋用として、「Ｃ」が登録されているか、否かが判断される。ＮＯであれば、ステップＰ１（Ｖ１，Ｍ１）に戻り、ＹＥＳであれば、ステップＰ７（Ｖ７，Ｍ７）に移る。
【００２０】
以下、具体的に説明すると、まず、プリセット用テーブルに関して、リモコン又はラジオ受信装置１の操作により、例えば、父親が聴取したいラジオ放送局の周波数が記録されているプリセット用登録部を選択し、そのグループコードデータとして、「グループＡ」を登録すると共に、プリセット（登録）確定操作を行い、そのプリセットデータとして、「有」を登録する。同様に、母親と子供も、聴取したいラジオ放送局の周波数が記録されているプリセット用登録部を選択して、そのグループコードデータとして、「グループＢ」又は「グループＣ」を登録すると共に、プリセット確定操作を行い、そのプリセットデータとして、「有」を登録する。
【００２１】
この状態で、メイン部屋で父親、母親及び子供がラジオ放送を聴取したい場合には、リモコンにより、リモコン受光部５を介して、ラジオ受信装置１を操作するのであり、例えば、リモコンの放送局選択用のプリセットアップキーを操作すると、プリセット用テーブルの各プリセット用登録部が順次読出されていく。この場合には、ラジオ受信装置１のチューナー９により、プリセットデータが「有」であるプリセット用登録部の周波数に基づき、該当する放送局の放送信号が順次受信されて、スピーカ２からオーディオ出力されていく。これにより、父親、母親及び子供が予め選択した放送局から所望のラジオ放送局を選択できて、その放送番組を聴取できる。この場合、ゾーン２部屋とゾーン３部屋のＯＮ／ＯＦＦ設定に関しては、ＯＦＦに設定する場合と、ＯＮに設定する場合がある。
【００２２】
又、ゾーン２部屋で子供がラジオ放送を聴取したい場合には、ゾーン２部屋のＯＮ／ＯＦＦ設定に関してはＯＮに設定し、ゾーン３部屋のＯＮ／ＯＦＦ設定に関しては、ＯＦＦに設定した後、上記同様に、リモコンにより、ラジオ受信装置１を操作する。この場合、ゾーン２部屋では、ラジオ受信装置１のチューナー９により、プリセットデータが「有」で且つグループコードデータが「グループＣ」であるプリセット用登録部の周波数に基づき、該当する放送局の放送信号が順次受信されて、スピーカ３からオーディオ出力されていく。これにより、子供が予め選択した放送局から所望のラジオ放送局を選択できて、その放送番組を聴取できる。
【００２３】
更に、ゾーン３部屋で父親がラジオ放送を聴取したい場合には、ゾーン２部屋のＯＮ／ＯＦＦ設定に関してはＯＦＦに設定し、ゾーン３部屋のＯＮ／ＯＦＦ設定に関しては、ＯＮに設定した後、上記同様に、リモコンにより、ラジオ受信装置１を操作する。この場合、ゾーン３部屋では、ラジオ受信装置１のチューナー９により、プリセットが「有」で且つグループコードデータが「グループＡ」であるプリセット用登録部の周波数に基づき、該当する放送局の放送信号が順次受信されて、スピーカ４からオーディオ出力されていく。これにより、父親が予め選択した放送局から所望のラジオ放送局を選択できて、その放送番組を聴取できる。
【００２４】
尚、上記実施の形態は、本発明をオーディオ装置に適用したものであるが、本発明は、上記以外のオーディオ出力及び／又はビジュアル表示する複数のスピーカ及び／又は表示装置を有するオーディオ／ビジュアル装置に適用可能である。
【図面の簡単な説明】
【００２５】
【図１】本発明の実施の形態の一例を示すブロック図である。
【図２】本発明の実施の形態の一例を示すグループ用テーブルの説明図である。
【図３】本発明の実施の形態の一例を示すプリセット用テーブルの説明図である。
【図４】図１の制御を示すフローチャートである。
【図５】図１の制御を示すフローチャートである。
【図６】図１の制御を示すフローチャートである。
【図７】図１の制御を示すフローチャートである。
【図８】図１の制御を示すフローチャートである。
【図９】図１の制御を示すフローチャートである。
【符号の説明】
【００２６】
１  ラジオ受信装置
２〜４  スピーカ
５〜７  リモコン受光部
９  チューナー
１０〜１２  アンプ
１３  マイコン１３
【図１】
2008035042.tif 000003
【図２】
2008035042.tif 000004
【図３】
2008035042.tif 000005
【図４】
2008035042.tif 000006
【図５】
2008035042.tif 000007
【図６】
2008035042.tif 000008
【図７】
2008035042.tif 000009
【図８】
2008035042.tif 000010
【図９】
2008035042.tif 000011